(57)【要約】      （修正有）【課題】従来から使用されているゼムクリップの形状を少し変更して、綴じ込んだ書類等からゼムクリップが簡単に脱落しないようにし、ゼムクリップの脱落により、綴じ込んだ書類がばらばらにならないようにする。【解決手段】従来から多く使用されているゼムクリップに、両先端部１及び２に曲げ加工を施し、綴じ込む圧力をゼムクリップの両先端部に増加させて、ゼムクリップによって綴じ込まれた書類等をしっかりと押さえ込み、簡単には綴じ込んだ書類等から脱落しないようにする。要するに、書類等を綴じこんだゼムクリップが、綴じこんだ書類から簡単に脱落しないようにすれば、書類等がばらばらになる件を解決できるのである。【選択図】図２
0003109704.tif 000002
【実用新案登録請求の範囲】
【請求項１】
従来より多く流通し、使用されている図１の形状をしたゼムクリップに、図２の如くに曲げ加工を施して、書類等を綴じ込む圧力を強くした構造を持つゼムクリップ。
【請求項２】
図４の形状をしたゼムクリップにおいて、請求項１の如くに曲げ押し加工を施すことにより請求項１の如き効果を発揮するゼムクリップ。
【請求項３】
図５の如く、両先端部を同方向に曲げ加工を施し、書類等を綴じ込む時、図面上での上面又は下面の方向性を生じないゼムクリップ。
【考案の詳細な説明】
【技術分野】
【０００１】  本考案は、事務用によく使用されているゼムクリップに係るものである。
【背景技術】
【０００２】  従来より長年使用されてきた事務用のゼムクリップは、書類等を整理してゼムクリップを以って綴じ込んでも、綴じ込んだ書類等をかたずけるために整理している時、知らない間に、ゼムクリップが書類等から脱落していて、書類等がばらばらになることをよく経験させられた。特に綴じ込む書類等の枚数が少ない時等によく発生した。
【考案の開示】
【考案が解決しようとする課題】
【０００３】  書類等を整理して、ゼムクリップによって綴じ込んだ書類等を、多人数の会議用に作成した時などによく経験する。このような綴じ込んだ書類等を、ゼムクリップの書類等からの脱落によって、書類等がばらばらになる事を、出来る限り無くす事を目的とすることにある。
【課題を解決するための手段】
【０００４】  図１にあるような形状をした、従来より使用されてきたゼムクリップに、図２のゼムクリップの両先端部１及び２の個所に相対方向の曲げ加工を施すことにより、書類等７の綴じ込む圧力を増強する。
【考案の効果】
【０００５】  図２でのゼムクリップの曲げ押し部１及び２の個所を、ゼムクリップの線材径程度の寸法で曲げ押しを施すことにより、書類等７を綴じ込んだ時に、ゼムクリップの両先端部１及び２の先端部同士によって、書類等７を綴じ込むために依り強い圧力が加わる。よって、綴じ込まれた書類等７から、ゼムクリップが脱落し難くなる効果を発揮する。
【考案を実施するための最良の形態】
【０００６】  図１にあるような形状をしたゼムクリップを、金型を用いてプレスによる曲げ押し加工をするか、ゼムクリップをスプリング巻き線機で加工する時に、同じ工程内で加工するかで、加工上での問題は解決する。
【実施例】
【０００７】  以上のようにして加工された図２のゼムクリップを、図３の如くに書類等７を綴じ込んだ時、ゼムクリップのＲ部５及び６の個所にても書類等７を押さえ込むが、３及び４の個所にて、本考案の最大の効果を発揮する点で、書類等７を上面及び下面双方から点押さえで、強力に書類等７を綴じ込むことで、図２のゼムクリップは書類等７の両面に安定する。【０００８】  図３の如く書類等７を綴じ込んだ図２のゼムクリップを、書類等７から外す時は、ゼムクリップのＲ部５又は６を左右どちらかに回転させることで、簡単に取り外しができるのである。【０００９】  図４のような形状をしたゼムクリップにおいても、両先端部８及び９の個所を、図２のゼムクリップの如くに曲げ押し加工を施すことにより、上記と同じ効果を発揮する。【００１０】  本考案には一つの欠点がある。書類等７を綴じ込む時に、ゼムクリップの方向性を見なければならない。これは、ゼムクリップの両先端部１及び２の個所を相対方向に曲げ押し加工を施しているためで、綴じ込んだ書類等７から脱落防止効果を発揮するように、書類等７をゼムクリップの両先端部１及び２の個所で挟み込むために生じるのであり、反対向きに使用した時には、図１のゼムクリップで従来の綴じ込み状態と変わらない。【００１１】  本考案の一つの欠点を解決するためには、書類等７の綴じ込む圧力が半減するが、図２でのゼムクリップでは、両先端部を相対方向に曲げ押し加工したのに対し、同方向に曲げ押し加工を行うことにより、図５のゼムクリップの両先端部の１０及び１１のどちらか一方が、書類等７の綴じ込み圧力を発揮して、本考案の一つの欠点は解消される。
【産業上の利用可能性】
【００１２】  従来のゼムクリップで、少ない枚数の書類等を綴じ込んだ時等、綴じ込む圧力が小さいために、ばらばらになってしまうことが多々有ったが、本考案によるゼムクリップを使用することにより、綴じられた書類が不揃いになり易い欠点を、解決することができる。
【図面の簡単な説明】
【００１３】
【図１】  従来から使用されているゼムクリップの平面図と右側面図である。
【図２】  本考案によるゼムクリップの平面図と左側面図及び右側面図である。
【図３】  本考案によるゼムクリップで書類等を綴じ込んだ時の側面図である。
【図４】  本考案が設置可能な三角形状をしたゼムクリップの平面図である。
【図５】  図２での曲げ押し形状を変更した平面図と左側面図及び右側面図である。
【符号の説明】
【００１４】    １  本考案によるゼムクリップで曲げ押し後の左先端部。
２  本考案によるゼムクリップで曲げ押し後の右先端部。
３  書類等を本考案ゼムクリップが綴じ込んだ時の左側先端部。
４  書類等を本考案ゼムクリップが綴じ込んだ時の右側先端部。
５  従来からのゼムクリップの内側Ｒ部。
６  従来からのゼムクリップの外側Ｒ部。
７  綴じ込む書類等。
８  三角形状ゼムクリップの曲げ押し外側加工部。
９  三角形状ゼムクリップのまげ押し内側加工部。
１０  本考案によるゼムクリップで曲げ押しを変更した左先端部。
１１  本考案によるゼムクリップで曲げ押しを左右同方向にした右先端部。
【図１】
0003109704.tif 000003
【図２】
0003109704.tif 000004
【図３】
0003109704.tif 000005
【図４】
0003109704.tif 000006
【図５】
0003109704.tif 000007
【手続補正書】
【提出日】平成16年6月10日(2004.6.10)
【手続補正１】
【補正対象書類名】明細書
【補正対象項目名】全文
【補正方法】変更
【補正の内容】
【考案の詳細な説明】
【技術分野】
【０００１】  本考案は、事務用によく使用されているゼムクリップに係るものである。
【背景技術】
【０００２】  従来より長年使用されてきた事務用のゼムクリップは、書類等を整理してゼムクリップを以って綴じ込んでも、綴じ込んだ書類等をかたずけるために整理している時、知らない間に、ゼムクリップが書類等から脱落していて、書類等がばらばらになることをよく経験させられた。特に綴じ込む書類等の枚数が少ない時等によく発生した。
【考案の開示】
【考案が解決しようとする課題】
【０００３】  書類等を整理して、ゼムクリップによって綴じ込んだ書類等を、多人数の会議用に作成した時などによく経験する。このような綴じ込んだ書類等を、ゼムクリップの書類等からの脱落によって、書類等がばらばらになる事を、出来る限り無くす事を目的とすることにある。
【課題を解決するための手段】
【０００４】  従来より、多く使用されてきたゼムクリップに於いて、ゼムクリップの左右両先端部の切り口より、２ミリないし３ミリ程度の位置で、２０度前後を目標にして、対称的に曲げ押し加工を施すことで、書類等の綴じ込む圧力が増強する。これは、ゼムクリップの左右両端部の切り口で、書類等の上面を押さえ込むのと、下面を同時に押さえ込むために、綴じ込む書類等をしっかりと押さえ込まれるためである。【０００５】  しかし、本考案のゼムクリップには機能上で表と裏がある。従来から使用されているゼムクリップでは、どちらの面でも書類等を綴じ込むことが出来るが、本考案の場合には、曲げ加工の方向によって、書類等を綴じ込む方向が指定されるが、使用時に両先端部の曲げ方向を確認して使用すれば、書類等をしっかりと綴じ込むことができる。しかし、ゼムクリップを反対向きにて書類等を綴じ込んだ時は、従来品の物と効果は同じである。【０００６】  三角形状のゼムクリップにおいても、上述したように左右両先端部の切り口に曲げ押し加工を施すことで、書類等を力強く綴じ込むことができる効果を発揮する。ゼムクリップの使用方法に付いても、上記両端丸形状のゼムクリップと同じである。【０００７】  上述したゼムクリップの曲げ押し加工に関し、両先端部を同じ方向に曲げ押し加工することで、書類等の本考案による綴じ込み圧力は、片面だけに半減するが、ゼムクリップの使用時に、方向性を気にすること無く使用することができ、本考案効果が半減するが、一部の効果は発揮することが出来る。
【考案の効果】
【０００８】  図面を以って説明すると、図２でのゼムクリップの曲げ押し部１及び２の個所を、上述したような寸法で曲げ押しを施すことにより、書類等７を綴じ込んだ時に、ゼムクリップの両先端部１及び２の先端部同士によって、書類等７に食い込むような状態で綴じ込むために、依り強い圧力が加わる。よって、綴じ込まれた書類等７から、ゼムクリップが脱落し難くなる効果を発揮する。
【考案を実施するための最良の形態】
【０００９】  従来より使用されている、図１にあるような形状をしたゼムクリップを、金型を用いて両先端部を、プレス機械による曲げ押し加工を行うか、ゼムクリップをスプリング巻き線機で加工する時に、同時加工を行うことで、加工上での問題は解決する。
【実施例】
【００１０】  以上のようにして、加工された図２のゼムクリップを、図３のように書類等７を綴じ込んだ時、ゼムクリップのＲ部５及び６の個所にても、書類等７を押さえ込むが、図２の３及び４の個所にて押さえ込むのが、本考案の最大の効果を発揮する点で、書類等７を上面及び下面双方から点押さえで、強力に書類等７を綴じ込むことで、図２のゼムクリップは書類等７の両面に安定する。【００１１】  図３のように、書類等７を綴じ込んだ図２のゼムクリップを、書類等７から外す時は、ゼムクリップのＲ部５又は６を、左右どちらかの方向に回転させることで、簡単に取り外しができるのである。
【産業上の利用可能性】
【００１２】  従来のゼムクリップで、少ない枚数の書類等を綴じ込んだ時等、綴じ込む圧力が小さいために、ばらばらになってしまうことが多々有ったが、本考案によるゼムクリップを使用することで、綴じ込まれた書類等が不揃いになり易い欠点を、解決することができる。
【図面の簡単な説明】
【００１３】
【図１】  従来から使用されているゼムクリップの平面図と右側面図である
【図２】  本考案によるゼムクリップの平面図と左側面図及び右側面図である
【図３】  本考案によるゼムクリップで書類等を綴じ込んだ平面図と側面図である
【図４】  本考案が設置可能な三角形状のゼムクリップの平面図と左右側面図である
【図５】  図２での曲げ押し形状を変更した平面図と左側面図及び右側面図である
【符号の説明】
【００１４】  １  本考案によるゼムクリップで曲げ押し後の左先端部
２  本考案によるゼムクリップで曲げ押し後の右先端部
３  書類等を本考案ゼムクリップが綴じ込んだ時の左側先端部
４  書類等を本考案ゼムクリップが綴じ込んだ時の右側先端部
５  従来からのゼムクリップの内側Ｒ部
６  従来からのゼムクリップの外側Ｒ部
７  綴じ込む書類等
８  三角形状ゼムクリップの曲げ押し外側加工部
９  三角形状ゼムクリップの曲げ押し内側加工部
１０  本考案によるゼムクリップで曲げ押しを変更した左先端部
１１  本考案によるゼムクリップで曲げ押しを左右同方向にした右先端部
【手続補正２】
【補正対象書類名】実用新案登録請求の範囲
【補正対象項目名】全文
【補正方法】変更
【補正の内容】
【実用新案登録請求の範囲】
【請求項１】
従来より多く流通し、使用されているゼムクリップに、左先端部及び右先端部の、両先端部の切り口より２ミリないし３ミリの位置で、２０度前後を目標にして、左右対称になるよう押し曲げ加工を施し、書類等を綴じ込んだ時に、左右両先端部の切り口にて、書類等の上面及び下面を強く綴じ込むことができる、ゼムクリップの構造。
【請求項２】
両端丸形状のゼムクリップに対して、三角形状をしたゼムクリップにおいて、上述したように、左右両先端部の切り口を曲げ押し加工を施すことによって、請求項１の効果を発揮することができる、ゼムクリップの構造。
【請求項３】
上述したゼムクリップにおいて、両先端部を左右対称になるよう曲げ加工を行ったものに対し、書類等を綴じ込む時に、本考案でのゼムクリップを使用する時、ゼムクリップの方向性が生じないように、左右両先端部を同方向に曲げ加工を施すことで、書類等を綴じ込む時に本考案効果が半減するが、どの方向から書類等を綴じ込んだ場合でも、本考案効果を発揮する、ゼムクリップの構造。
【手続補正３】
【補正対象書類名】図面
【補正対象項目名】図３
【補正方法】変更
【補正の内容】
【図３】
0003109704.tif 000008
【手続補正４】
【補正対象書類名】図面
【補正対象項目名】図４
【補正方法】変更
【補正の内容】
【図４】
0003109704.tif 000009
【手続補正書】
【提出日】平成16年8月30日(2004.8.30)
【手続補正１】
【補正対象書類名】実用新案登録請求の範囲
【補正対象項目名】全文
【補正方法】変更
【補正の内容】
【実用新案登録請求の範囲】
【請求項１】
従来より多く流通し、使用されているゼムクリップに、左先端部及び右先端部の、両先端部の切り口より２ミリないし３ミリの位置で、２０度前後を目標にして、左右対称になるよう曲げ押し加工を施し、書類等を綴じ込んだ時に、左右両先端部の切り口にて、書類等の上面及び下面を強く綴じ込むことができるゼムクリップ。
【請求項２】
両端丸形状のゼムクリップに対して、三角形状をしたゼムクリップに於いても、左先端部及び右先端部の、両先端部の切り口を、上記請求項１の如くに曲げ押し加工を行うことで、書類等を上面及び下面の両面で、しっかり綴じ込むことができるゼムクリップ。
【請求項３】
本考案によるゼムクリップに於いて、両先端部を左右対称になるよう曲げ押し加工を行ったものに対し、書類等を綴じ込む時、ゼムクリップの方向性が生じないように、左右両先端部を同方向に曲げ押し加工を施すことで、どの方向から書類等を綴じ込んだ時にでも、左右どちらかの一端で、書類等を押さえ込むために、本考案効果は半減するが、或る程度の効果を発揮するゼムクリップ。
【手続補正書】
【提出日】平成16年11月25日(2004.11.25)
【手続補正１】
【補正対象書類名】実用新案登録請求の範囲
【補正対象項目名】全文
【補正方法】変更
【補正の内容】
【実用新案登録請求の範囲】
【請求項１】
従来より多く流通し、使用されているゼムクリップに、左先端部及び右先端部の、両先端部の切り口より２ミリないし３ミリの位置で、２０度前後を目標にして、左右対称になるよう曲げ押し加工を施し、書類等を綴じ込んだ時に、左右両先端部の切り口にて、書類等の上面及び下面を強く綴じ込むことができるゼムクリップ。
【請求項２】
両端丸形状のゼムクリップに対して、三角形状をしたゼムクリップに於いても、左先端部及び右先端部の、両先端部の切り口より２ミリないし３ミリの位置にて、２０度前後を目標にして、左右対称になるよう曲げ押し加工を行うことで、書類等を上面及び下面の両面で、しっかり綴じ込むことができるゼムクリップ。
【請求項３】
本考案によるゼムクリップに於いて、両先端部を左右対称になるよう曲げ押し加工を行ったものに対し、書類等を綴じ込む時、ゼムクリップの方向性が生じないように、左右両先端部を同方向に曲げ押し加工を施すことで、どの方向から書類等を綴じ込んだ時でも、左右どちらかの一端で、書類等を押さえ込むために、本考案効果は半減するが、或る程度の効果を発揮するゼムクリップ。